(57)【要約】      （修正有）【課題】通路幅を調整できる紙幣処理装置を提供する。【解決手段】紙幣が移動する通路が設けられ、通路両側には幅を調整する二つの相対する第１の調整部材１１２がそれぞれ設けられる。第１の調整部材１１２には通路を延長する基部１１２１が設けられる。基部１１２１の一側には位置決め溝１１１１に係合固定されて位置決めされる固定部１１２３が凸設され、通路の前側には紙幣を移動させる伝動装置および紙幣の真偽および額面を識別する識別装置が設けられ、通路の後側には紙幣が収納される紙幣スタッカおよび紙幣を紙幣スタッカへと押圧する紙幣押圧装置が設けられる。本体の通路幅は二つの第１の調整部材１１２によって調整することができ、幅の異なる紙幣に合わせて本体を製造する必要がないので、生産コストおよび在庫コストを低減させることができる。【選択図】図４
0003150131.tif 000002
【実用新案登録請求の範囲】
【請求項１】
本体を備え、前記本体内には紙幣が移動する通路が設けられ、前記通路の前側には紙幣を移動させる伝動装置および紙幣の真偽および額面を識別する識別装置が設けられ、前記通路の後側には紙幣が収納される紙幣スタッカおよび紙幣を前記紙幣スタッカに押圧する紙幣押圧装置が設けられ、
前記本体の通路の両外側には、前記通路の幅を調整する第１の調整部材がそれぞれ設けられ、前記第１の調整部材には前記通路を延長する基部が設けられ、前記基部の一側には前記本体に位置決めされる固定部が設けられ、前記通路両側に前記第１の調整部材をそれぞれ設置することによって、前記通路を異なる形式の紙幣の幅に符合するように調整することができることを特徴とする通路幅を調整できる紙幣処理装置。
【請求項２】
前記通路の一側壁の両外側には、前記第１の調整部材の基部が設置される位置決め部が設けられることを特徴とする請求項１記載の通路幅を調整できる紙幣処理装置。
【請求項３】
前記位置決め部は、凹溝または枠体であることを特徴とする請求項２記載の通路幅を調整できる紙幣処理装置。
【請求項４】
前記第１の調整部材の固定部は、接着剤であることを特徴とする請求項１記載の通路幅を調整できる紙幣処理装置。
【請求項５】
前記通路の位置決め部には、位置決め溝が凹設され、前記第１の調整部材の基部には前記位置決め溝に係合固定される固定部が凸設されることを特徴とする請求項２記載の通路幅を調整できる紙幣処理装置。
【請求項６】
前記第１の調整部材の固定部両側には、漸縮状の導入斜面が設けられることを特徴とする請求項５記載の通路幅を調整できる紙幣処理装置。
【請求項７】
前記通路の位置決め部には、外側まで貫通する複数の位置決め溝が設けられ、前記位置決め部の外側には一つ以上の係合固定部が設けられ、前記第１の調整部材の基部の前記通路から離れた一側には前記位置決め溝から外側まで貫通する複数の固定部が設けられ、前記複数の固定部の末端には前記係合固定部と係合固定される係合部が設けられることを特徴とする請求項２記載の通路幅を調整できる紙幣処理装置。
【請求項８】
前記通路の位置決め部には、外側まで貫通する複数の位置決め溝が設けられ、前記第１の調整部材の基部の前記通路から離れた一側には複数の固定部が設けられ、前記第１の調整部材には前記位置決め部の位置決め溝を貫通して前記固定部に螺合固定される複数の固定部材が設けられ、前記固定部材はねじ、ボルト、ナットまたはリベットであることを特徴とする請求項２記載の通路幅を調整できる紙幣処理装置。
【請求項９】
前記二つの第１の調整部材の基部の前記通路と接続される一側には、前記通路中央からの距離が同一であり、前記通路の幅を調整する調整部がそれぞれ設けられることを特徴とする請求項１記載の通路幅を調整できる紙幣処理装置。
【請求項１０】
本体および紙幣挿入口を備え、
前記本体内には紙幣が移動する通路が設けられ、前記通路の前側には紙幣を移動させる伝動装置および紙幣の真偽および額面を識別する識別装置が設けられ、前記通路の後側には紙幣が収納される紙幣スタッカおよび紙幣を前記紙幣スタッカに押圧する紙幣押圧装置が設けられ、前記本体の通路の両外側には、前記通路の幅を調整する第１の調整部材がそれぞれ設けられ、前記第１の調整部材には前記通路を延長する基部が設けられ、前記基部の一側には前記本体に位置決めされる固定部が設けられ、
前記紙幣挿入口は、前記通路の前記紙幣スタッカおよび紙幣押圧装置から離れた一側に設置され、前記紙幣挿入口の両外側には幅を調整する第２の調整部材がそれぞれ設けられ、前記第２の調整部材には前記紙幣挿入口を延長する基部が設けられ、前記基部の一側には前記紙幣挿入口に位置決めされる固定部が設けられることを特徴とする通路幅を調整できる紙幣処理装置。
【請求項１１】
前記通路および紙幣挿入口の一側壁の両外側には、前記第１の調整部材の基部および前記第２の調整部材の基部が設置される位置決め部が設けられることを特徴とする請求項１０記載の通路幅を調整できる紙幣処理装置。
【請求項１２】
前記位置決め部は、凹溝または枠体であることを特徴とする請求項１１記載の通路幅を調整できる紙幣処理装置。
【請求項１３】
前記第１の調整部材および第２の調整部材の固定部は、接着剤であることを特徴とする請求項１０記載の通路幅を調整できる紙幣処理装置。
【請求項１４】
前記通路および紙幣挿入口の位置決め部には、位置決め溝が凹設され、前記第１の調整部材および第２の調整部材の基部には前記位置決め溝に係合固定される固定部が凸設されることを特徴とする請求項１１記載の通路幅を調整できる紙幣処理装置。
【請求項１５】
前記固定部両側には、漸縮状の導入斜面が設けられることを特徴とする請求項１４記載の通路幅を調整できる紙幣処理装置。
【請求項１６】
前記紙幣挿入口および前記通路の位置決め部には、外側まで貫通する複数の位置決め溝が設けられ、前記位置決め部の外側には一つ以上の係合固定部が設けられ、前記第１の調整部材および前記第２の調整部材の基部の前記通路および前記紙幣挿入口から離れた一側には前記位置決め部の位置決め溝から外側まで貫通する複数の固定部が設けられ、前記複数の固定部の末端には前記係合固定部と係合固定される係合部が設けられることを特徴とする請求項１１記載の通路幅を調整できる紙幣処理装置。
【請求項１７】
前記通路および前記紙幣挿入口の位置決め部には、外側まで貫通する複数の位置決め溝が設けられ、前記第１の調整部材および第２の調整部材の基部の前記通路および前記紙幣挿入口から離れた一側には複数の固定部が凹設され、前記第１の調整部材および前記第２の調整部材には前記位置決め部の位置決め溝を貫通して前記固定部に螺合固定される複数の固定部が設けられ、前記固定部材はねじ、ボルト、ナットまたはリベットであることを特徴とする請求項１１記載の通路幅を調整できる紙幣処理装置。
【請求項１８】
前記二つの第１の調整部材および前記二つの第２の調整部材の基部の前記位置決め部と相対する一側には、前記通路中央および紙幣挿入口中央からの距離が同一であり、前記通路の幅を調整する調整部がそれぞれ設けられることを特徴とする請求項１０記載の通路幅を調整できる紙幣処理装置。
【考案の詳細な説明】
【技術分野】
【０００１】
本考案は、通路幅を調整できる紙幣処理装置に関し、特に、通路両側に設けられた第１の調整部材によって通路幅を調整することができ、通路幅を様々な幅の紙幣に符合させることができる紙幣処理装置に関する。
【背景技術】
【０００２】
科学技術が発達した現代においては、人と人との距離が縮まり、人々の生活リズムも加速し、生活においても更なる利便性および高速化が求められている。それらの要求に応えるために、多くの公共の場所において、自動販売機、ＡＴＭまたはその他の紙幣処理装置が設置され、自動化された紙幣処理装置によって人件費が大幅に削減されている以外に、大きな利便性が提供されている。
【０００３】
偽造紙幣が大量に製造され、市場に流通しているので、紙幣処理装置は紙幣を受領する前に真偽を識別する必要があり、そのために、紙幣処理装置内部には識別装置が設けられる。一般の紙幣処理装置は単一の幅の紙幣しか受領できないが、国によっては、額面によって発行されている紙幣のサイズ（長さ、幅、厚さ）が異なったり、紙幣によって偽造防止マークの位置が異なったりすることがある。紙幣処理装置は紙幣が正確に位置合わせされてはじめて正確な識別を行なうことができるが、使用者が紙幣を挿入したとき、紙幣がずれる可能性があり、紙幣を確実に識別することができないために、紙幣処理装置が紙幣を退出させ、使用者は紙幣挿入の動作を何度も行なわなければならない状況となることがあり、極めて不便である。
【０００４】
従って、メーカーは異なる形式の紙幣に対しては異なる通路幅を有するケーシングを製作し、紙幣処理装置をその地域において使用される紙幣に対応させることによって、紙幣が紙幣処理装置内に挿入された後、紙幣の識別をスムーズに行なうことができる。しかし、上述の従来技術による紙幣処理装置には実際に使用する上で下記のような多くの改善が必要な欠点が存在する。
【０００５】
（一）紙幣処理装置のケーシングを製作するとき、異なる通路幅を有するケーシングを製造するためには異なる金型が必要であり、金型を製作するためのコストが増加するために、製品コストが高くなる。
【０００６】
（二）紙幣処理装置のケーシングは様々な通路幅を有するので、メーカーは異なる通路幅を有する様々なケーシングを製造して在庫する必要があり、倉庫の空間が占拠されるだけでなく、在庫コストが高くなる。
【０００７】
従って、従来技術による紙幣処理装置の問題および欠点を如何に解決するかは、当業者が改善したかった問題であった。
【０００８】
本考案の考案者は、上述の従来技術の欠点に鑑み、関連資料を収集し、本業界における長年の経験、幾度もの試作および修正から、ついに通路幅を調整できる紙幣処理装置を案出した。
【先行技術文献】
【特許文献】
【０００９】
【特許文献１】特開２００３−１２３１２２号公報
【考案の概要】
【考案が解決しようとする課題】
【００１０】
本考案の第１の目的は、本体の通路両側に位置決め部が設けられ、位置決め部内には第１の調整部材が設けられ、第１の調整部材によって通路幅を調整することによって、幅の異なる紙幣に合わせて本体を製造する必要がなく、本体を出荷する前に、第１の調整部材を調整することによって、本体の通路を様々な幅の紙幣に符合させることができ、本体を製造するとき、一種類のサイズの金型を準備すればよく、一種類のサイズの本体のみを製造して在庫すればよいので、金型の製作費用および生産コストを低減させることができ、本体の在庫を収容する空間を節約し、在庫コストを低減させることができる通路幅を調整できる紙幣処理装置を提供することにある。
本考案の第２の目的は、第１の調整部材および第２の調整部材がそれぞれ対向設置され、二つの第１の調整部材または二つの第２の調整部材間の位置を交換することによって、組立後、本体の通路または紙幣挿入口の幅を調整することができ、一組の第１の調整部材または第２の調整部材によって二種類の幅に調整することができ、単一の金型を製作し、一組の第１の調整部材または第２の調整部材を製造すればよいので、両者の製造コストおよび在庫量を低減させることができ、製品コストを低減させることができる通路幅を調整できる紙幣処理装置を提供することにある。
【課題を解決するための手段】
【００１１】
上述の課題を解決するために、請求項１の考案は、本体を備え、本体内には紙幣が移動する通路が設けられ、通路の前側には紙幣を移動させる伝動装置および紙幣の真偽および額面を識別する識別装置が設けられ、通路の後側には紙幣が収納される紙幣スタッカおよび紙幣を紙幣スタッカに押圧する紙幣押圧装置が設けられ、本体の通路の両外側には、通路の幅を調整する第１の調整部材がそれぞれ設けられ、第１の調整部材には通路を延長する基部が設けられ、基部の一側には本体に位置決めされる固定部が設けられ、通路両側に第１の調整部材をそれぞれ設置することによって、通路を異なる形式の紙幣の幅に符合するように調整することができることを特徴とする通路幅を調整できる紙幣処理装置である。
【００１２】
請求項２の考案は、通路の一側壁の両外側には、第１の調整部材の基部が設置される位置決め部が設けられることを特徴とする請求項１記載の通路幅を調整できる紙幣処理装置である。
【００１３】
請求項３の考案は、位置決め部は、凹溝または枠体であることを特徴とする請求項２記載の通路幅を調整できる紙幣処理装置である。
【００１４】
請求項４の考案は、第１の調整部材の固定部は、接着剤であることを特徴とする請求項１記載の通路幅を調整できる紙幣処理装置である。
【００１５】
請求項５の考案は、通路の位置決め部には、位置決め溝が凹設され、第１の調整部材の基部には位置決め溝に係合固定される固定部が凸設されることを特徴とする請求項２記載の通路幅を調整できる紙幣処理装置である。
【００１６】
請求項６の考案は、第１の調整部材の固定部両側には、漸縮状の導入斜面が設けられることを特徴とする請求項５記載の通路幅を調整できる紙幣処理装置である。
【００１７】
請求項７の考案は、通路の位置決め部には、外側まで貫通する複数の位置決め溝が設けられ、位置決め部の外側には一つ以上の係合固定部が設けられ、第１の調整部材の基部の通路から離れた一側には位置決め溝から外側まで貫通する複数の固定部が設けられ、複数の固定部の末端には係合固定部と係合固定される係合部が設けられることを特徴とする請求項２記載の通路幅を調整できる紙幣処理装置である。
【００１８】
請求項８の考案は、通路の位置決め部には、外側まで貫通する複数の位置決め溝が設けられ、第１の調整部材の基部の通路から離れた一側には複数の固定部が設けられ、第１の調整部材には位置決め部の位置決め溝を貫通して固定部に螺合固定される複数の固定部材が設けられ、固定部材はねじ、ボルト、ナットまたはリベットであることを特徴とする請求項２記載の通路幅を調整できる紙幣処理装置である。
【００１９】
請求項９の考案は、二つの第１の調整部材の基部の通路と接続される一側には、通路中央からの距離が同一であり、通路の幅を調整する調整部がそれぞれ設けられることを特徴とする請求項１記載の通路幅を調整できる紙幣処理装置である。
【００２０】
請求項１０の考案は、本体および紙幣挿入口を備え、本体内には紙幣が移動する通路が設けられ、通路の前側には紙幣を移動させる伝動装置および紙幣の真偽および額面を識別する識別装置が設けられ、通路の後側には紙幣が収納される紙幣スタッカおよび紙幣を紙幣スタッカに押圧する紙幣押圧装置が設けられ、本体の通路の両外側には、通路の幅を調整する第１の調整部材がそれぞれ設けられ、第１の調整部材には通路を延長する基部が設けられ、基部の一側には本体に位置決めされる固定部が設けられ、紙幣挿入口は、通路の紙幣スタッカおよび紙幣押圧装置から離れた一側に設置され、紙幣挿入口の両外側には幅を調整する第２の調整部材がそれぞれ設けられ、第２の調整部材には紙幣挿入口を延長する基部が設けられ、基部の一側には紙幣挿入口に位置決めされる固定部が設けられることを特徴とする通路幅を調整できる紙幣処理装置である。
【００２１】
請求項１１の考案は、通路および紙幣挿入口の一側壁の両外側には、第１の調整部材の基部および第２の調整部材の基部が設置される位置決め部が設けられることを特徴とする請求項１０記載の通路幅を調整できる紙幣処理装置である。
【００２２】
請求項１２の考案は、位置決め部は、凹溝または枠体であることを特徴とする請求項１１記載の通路幅を調整できる紙幣処理装置である。
【００２３】
請求項１３の考案は、第１の調整部材および第２の調整部材の固定部は、接着剤であることを特徴とする請求項１０記載の通路幅を調整できる紙幣処理装置である。
【００２４】
請求項１４の考案は、通路および紙幣挿入口の位置決め部には、位置決め溝が凹設され、第１の調整部材および第２の調整部材の基部には位置決め溝に係合固定される固定部が凸設されることを特徴とする請求項１１記載の通路幅を調整できる紙幣処理装置である。
【００２５】
請求項１５の考案は、固定部両側には、漸縮状の導入斜面が設けられることを特徴とする請求項１４記載の通路幅を調整できる紙幣処理装置である。
【００２６】
請求項１６の考案は、紙幣挿入口および通路の位置決め部には、外側まで貫通する複数の位置決め溝が設けられ、位置決め部の外側には一つ以上の係合固定部が設けられ、第１の調整部材および第２の調整部材の基部の通路および紙幣挿入口から離れた一側には位置決め部の位置決め溝から外側まで貫通する複数の固定部が設けられ、複数の固定部の末端には係合固定部と係合固定される係合部が設けられることを特徴とする請求項１１記載の通路幅を調整できる紙幣処理装置である。
【００２７】
請求項１７の考案は、通路および紙幣挿入口の位置決め部には、外側まで貫通する複数の位置決め溝が設けられ、第１の調整部材および第２の調整部材の基部の通路および紙幣挿入口から離れた一側には複数の固定部が凹設され、第１の調整部材および第２の調整部材には位置決め部の位置決め溝を貫通して固定部に螺合固定される複数の固定部が設けられ、固定部材はねじ、ボルト、ナットまたはリベットであることを特徴とする請求項１１記載の通路幅を調整できる紙幣処理装置である。
【００２８】
請求項１８の考案は、二つの第１の調整部材および二つの第２の調整部材の基部の位置決め部と相対する一側には、通路中央および紙幣挿入口中央からの距離が同一であり、通路の幅を調整する調整部がそれぞれ設けられることを特徴とする請求項１０記載の通路幅を調整できる紙幣処理装置である。
【考案の効果】
【００２９】
本体の通路および紙幣挿入口は、第１の調整部材および第２の調整部材によって幅を調整することができ、紙幣の幅に合わせて異なる本体を製造する必要がなく、本体を出荷する前に、第１の調整部材および第２の調整部材を調整することによって、本体を様々な幅の紙幣に符合させることができ、製造するとき、一種類のサイズの金型を準備し、一種類のサイズの本体のみを製造して在庫すればよいので、金型の製作費用および生産コストを低減させることができ、本体の在庫を収容する空間および在庫費用を節約することができる。
二つの第１の調整部材および二つの第２の調整部材がそれぞれ相対して設けられ、二つの第１の調整部材または二つの第２の調整部材の位置を交換して組み立てることによって、本体の通路または紙幣挿入口を異なる幅に調整することができ、それによって、単一の金型を製作し、一組の第１の調整部材または第２の調整部材を製造すればよいので、両者の製造コストおよび在庫量を低減させることができる。
本体の通路および紙幣挿入口は、二つの第１の調整部材および二つの第２の調整部材によって紙幣に符合する幅に調整することができ、紙幣が挿入されて移動するとき、中央に位置合わせすることができ、紙幣がずれて識別装置が偽造防止マークを識別できなかったり、識別を誤ったり、失敗したりするのを防止することができ、紙幣処理装置の識別能力を高めることができる。
【図面の簡単な説明】
【００３０】
【図１】本考案の実施例を示す斜視図である。
【図２】本考案の実施例を示す分解斜視図である。
【図３】本考案の実施例を示す側面断面図である。
【図４】本考案の本体の実施例を示す分解斜視図である。
【図５】本考案の紙幣挿入口の実施例を示す分解斜視図である。
【図６】本考案の通路幅を調整する構造を示す一部切欠斜視図である。
【図７】本考案の通路幅を調整する構造を示す斜視図である。
【図８】本考案の第２の調整部材の他の実施例を示す分解斜視図である。
【図９】本考案の第２の調整部材の他の実施例を示す分解斜視図である。
【図１０】本考案の他の実施例を示す分解斜視図である。
【考案を実施するための形態】
【００３１】
本考案の目的、特徴および効果を示す実施例を図に沿って詳細に説明する。
【００３２】
図１は、本考案の実施例を示す斜視図である。図２は、本考案の実施例を示す分解斜視図である。図３は、本考案の実施例を示す側面断面図である。図４は、本考案の本体の実施例を示す分解斜視図である。図５は、本考案の紙幣挿入口の実施例を示す分解斜視図である。図から分かるように、本考案の通路幅を調整できる紙幣処理装置は、本体１および紙幣挿入口２から構成される。
【００３３】
本体１内には、紙幣が移動する通路１１が設けられ、通路１１の一側壁の両外側には位置決め部１１１が設けられ、位置決め部１１１には複数の位置決め溝１１１１が凹設される。位置決め部１１１には通路１１両側の幅を調整する二つの相対する第１の調整部材１１２が設けられる。第１の調整部材１１２には位置決め部１１１内に設置され、通路１１を延長する基部１１２１が設けられる。二つの第１の調整部材１１２の基部１１２１の位置決め部１１１に対応する一側には、通路１１中央からの距離が同一で、通路１１の幅を調整する調整部１１２２が設けられる。基部１１２１の一側には位置決め溝１１１１に係合固定されて位置決めされる固定部１１２３が凸設され、固定部１１２３両側には漸縮状の導入斜面１１２４が設けられる。通路１１の前側には紙幣を移動させる伝動装置１２および紙幣の真偽および額面を識別する識別装置１３が設けられ、通路１１の後側には紙幣が収納される紙幣スタッカ１４および紙幣を紙幣スタッカ１４へと押圧する紙幣押圧装置１５が設けられる。
【００３４】
紙幣挿入口２は、通路１１の紙幣スタッカ１４および紙幣押圧装置１５から離れた一側に設置され、紙幣挿入口２の一側壁の両外側には位置決め部２１が設けられる。位置決め部２１には外側まで貫通する複数の位置決め溝２１１が凹設され、位置決め部２１外側には一つ以上の係合固定部２１２が設けられ、更に、紙幣挿入口２両側の幅を調整する二つの相対する第２の調整部材２２が設けられる。第２の調整部材２２には位置決め部２１内に設置され、紙幣挿入口２を延長する基部２２１が設けられる。二つの第２の調整部材２２の基部２２１の位置決め部２１に対応する一側には、紙幣挿入口２中央からの距離が同一で、紙幣挿入口２の幅を調整する調整部２２２が設けられる。基部２２１の紙幣挿入口２から離れた一側には位置決め部２１の位置決め溝２１１から外側まで貫通する固定部２２３が凸設され、複数の固定部２２３の末端には係合固定部２１２と係合固定される係合部２２４が設けられる。
【００３５】
図４は、本考案の本体の実施例を示す分解斜視図である。図５は、本考案の紙幣挿入口の実施例を示す分解斜視図である。図６は、本考案の通路幅を調整する構造を示す一部切欠斜視図である。図７は、本考案の通路幅を調整する構造を示す斜視図である。図から分かるように、第１の調整部材１１２および第２の調整部材２２は調整部１１２２、２２２を通じて通路１１および紙幣挿入口２の幅を調整するが、二つの第１の調整部材１１２および二つの第２の調整部材２２を相対した設計にすることによって、通路１１および紙幣挿入口２の幅を中央から同一距離に調整し、紙幣の挿入および移動時に、紙幣を中央に位置合わせすることができる。また、通路１１両側の第１の調整部材１１２の調整部１１２２から基部１１２１側辺までの距離は左右異なり、二つの第１の調整部材１１２は相対構造となっているが、通路１１の位置決め部１１１の位置は固定されているので、左右両側の第１の調整部材１１２の位置を交換して設置することによって通路１１の幅を調整することができ（例えば、右側の第１の調整部材１１２の調整部１１２２を境にして基部１１２１右側が狭く、左側が広い場合、左右の第１の調整部材１１２を交換することによって、通路１１の幅が狭くなる）、通路１１を様々な形式の紙幣に符合させることができ、紙幣の挿入および移動時に、紙幣を中央に位置合わせすることができる。国または額面によって紙幣の幅が異なることがあるが、本考案では、単一の本体１を製造し、組立時、第１の調整部材１１２または第２の調整部材２２によって通路１１の幅を調整すればよい。また、単一の金型によって二種類の幅に調整できる第１の調整部材１１２または第２の調整部材２２を製造することができるので、金型の設置費用を節約することができ、在庫を減少させることができる。
【００３６】
図４は、本考案の本体の実施例を示す分解斜視図である。図５は、本考案の紙幣挿入口の実施例を示す分解斜視図である。図８は、本考案の第２の調整部材の他の実施例を示す分解斜視図である。図９は、本考案の第２の調整部材の他の実施例を示す分解斜視図である。図から分かるように、第２の調整部材２２の固定部２２３を接着剤とすることができ、接着剤によって第２の調整部材２２を紙幣挿入口２の位置決め部２１内に固定することができる。また、紙幣挿入口２の位置決め部２１に外側まで貫通する複数の位置決め溝２１１が設けられ、第２の調整部材２２の基部２２１の紙幣挿入口２から離れた一側には複数の固定部２２３が凹設され、第２の調整部材２２に位置決め部２１の位置決め溝２１１を貫通して固定部２２３に螺合固定される複数の固定部材２２５が設けられ、第２の調整部材２２が紙幣挿入口２の位置決め部２１に設置された後、複数の固定部材２２５によって第２の調整部材２２が螺合固定されて位置決めされる構造にすることができる。
【００３７】
上述の第１の調整部材１１２および第２の調整部材２２の固定方式は、粘着固定、螺合固定または係合固定とすることができ、第１の調整部材１１２または第２の調整部材２２が環状のとき、その固定部１１２３、２２３は、接着剤、漸縮状の突部または弾性係合構造としたり、ねじ、ボルト、ナットまたはリベットを利用して固定したりすることができる。位置決め部１１１、２１には穿孔または係合溝を凹設したり、平坦状としたりすることができ、第１の調整部材１１２および第２の調整部材２２を位置決め部１１１、２１に設置した後、位置決めできる機能を有すればよく、上述の構造は本考案の実用新案登録請求の範囲を制限するものではなく、その他の修飾および同等効果の変更は全て本考案の実用新案登録請求の範囲に含まれる。
【００３８】
図２は、本考案の実施例を示す分解斜視図である。図１０は、本考案の他の実施例を示す分解斜視図である。図から分かるように、紙幣挿入口２には複数の第２の調整部材２２を設置して幅を調整することができ、また、紙幣挿入口２前側には階段状の複数の対向溝２３を設けることができる。複数の対向溝２３の幅はちょうど本体１の複数の第１の調整部材１１２が設置された後の通路１１の幅に対応し、紙幣が挿入された後、紙幣を紙幣挿入口２および通路１１内の中央に位置合わせして移動させる機能を有すればよく、上述の構造は本考案の実用新案登録請求の範囲を制限するものではなく、その他の修飾および同等効果の変更は全て本考案の実用新案登録請求の範囲に含まれる。
【００３９】
上述の本考案の通路幅を調整できる紙幣処理装置を実際に使用するとき、下記のような長所を有する。
【００４０】
（一）本体１の通路１１および紙幣挿入口２は、第１の調整部材１１２および第２の調整部材２２によって幅を調整することができ、紙幣の幅に合わせて異なる本体１を製造する必要がなく、本体１を出荷する前に、第１の調整部材１１２および第２の調整部材２２を調整することによって、本体１を様々な幅の紙幣に符合させることができ、製造するとき、一種類のサイズの金型を準備し、一種類のサイズの本体１のみを製造して在庫すればよいので、金型の製作費用および生産コストを低減させることができ、本体の在庫を収容する空間および在庫費用を節約することができる。
【００４１】
（二）二つの第１の調整部材１１２および二つの第２の調整部材２２がそれぞれ相対して設けられ、二つの第１の調整部材１１２または二つの第２の調整部材２２の位置を交換して組み立てることによって、本体１の通路１１または紙幣挿入口２を異なる幅に調整することができ、それによって、単一の金型を製作し、一組の第１の調整部材１１２または第２の調整部材２２を製造すればよいので、両者の製造コストおよび在庫量を低減させることができる。
【００４２】
（三）本体１の通路１１および紙幣挿入口２は、二つの第１の調整部材１１２および二つの第２の調整部材２２によって紙幣に符合する幅に調整することができ、紙幣が挿入されて移動するとき、中央に位置合わせすることができ、紙幣がずれて識別装置１３が偽造防止マークを識別できなかったり、識別を誤ったり、失敗したりするのを防止することができ、紙幣処理装置の識別能力を高めることができる。
【００４３】
以上の説明から分かるように、本考案は、通路幅を調整できる紙幣識別装置を提供するものであり、本体１の通路１１両側に位置決め部１１１が設けられ、二つの相対する第１の調整部材１１２が位置決め部１１１内に設置され、二つの第１の調整部材１１２によって通路１１の幅を紙幣に符合させることができ、それによって、本体の製造コストを低減させることができる。
【００４４】
以上の説明は本考案の好適な実施例を示したものであり、本考案の実用新案登録請求の範囲を制限するものではなく、本考案の明細書および図面を運用した簡易な修飾および同等効果の変更は全て本考案の実用新案登録請求の範囲に含まれる。
【００４５】
上述のように、本考案の通路幅を調整できる紙幣処理装置を使用するとき、上述の効果および目的を確実に達成することができる。本考案は実用性に優れた考案である。
【符号の説明】
【００４６】
１  本体
１１  通路
１１１  位置決め部
１１１１  位置決め溝
１１２  第１の調整部材
１１２１  基部
１１２２  調整部
１１２３  固定部
１１２４  導入斜面
１３  識別装置
１４  紙幣スタッカ
１４０  収納空間
１４１  押圧板
１４２  弾性部材
１５  紙幣押圧装置
１５１  動力装置
１５２  連動装置
１２  伝動装置
１５３  紙幣押圧板
２  紙幣挿入口
２１  位置決め部
２１１  位置決め溝
２１２  係合固定部
２２  第２の調整部材
２２１  基部
２２２  調整部
２２３  固定部
２２４  係合部
２２５  固定部材
２３  対向溝
【図１】
0003150131.tif 000003
【図２】
0003150131.tif 000004
【図３】
0003150131.tif 000005
【図４】
0003150131.tif 000006
【図５】
0003150131.tif 000007
【図６】
0003150131.tif 000008
【図７】
0003150131.tif 000009
【図８】
0003150131.tif 000010
【図９】
0003150131.tif 000011
【図１０】
0003150131.tif 000012